(57)【特許請求の範囲】
【請求項１】
錠箱内にモード位置保持部材（４９）を介して自動施錠モードの位置と連続解錠モードの位置に選択的に停止させる入力手段（３１）を配設し、一方、前記錠箱内に電気的駆動源（１０）の駆動力で回転する回転体（１１ａ）と、該回転体に係脱すると共に前記入力手段に係合するモード変換用アーム部材（１２）を前記入力手段と回転体の間に介在させ、前記モード位置保持部材（４９）は、前記入力手段に往復動自在に配設され、前記自動施錠モードの位置と連続解錠モードの位置に切り換えることができる一連のガイド溝（５１）を有する摺動カム（５０）と、錠箱内の所定位置に配設されかつ付勢手段（５３）の付勢力により前記ガイド溝に係合する係合棒（５２）とから成る電気錠に於けるモード変換機構。
【請求項２】
請求項１に於いて、モード変換用アーム部材（１２）は、係合端部が回転体に設けたカム部（１１ｂ）に係脱する第１変換アーム（１２ａ）と、この第１変換アームと共働するように錠箱に軸支されかつ先端部が入力手段に係合する第２変換アーム（１２ｂ）とを有することを特徴とする電気錠に於けるモード変換機構。
【請求項３】
請求項１に於いて、錠箱内には、入力手段の位置変位により、モードが切り換った信号を取得する検知手段が配設されていることを特徴とする電気錠に於けるモード変換機構。
【請求項４】
請求項１に於いて、入力手段は、錠箱のフロント板に形成した開口から押し込み操作によっても自動施錠モードの位置と連続解錠モードの位置に選択的に位置変位することを特徴とする電気錠に於けるモード変換機構。
【請求項５】
請求項１に於いて、錠箱内にトリガーが設けられ、入力手段が自動施錠モードの位置に在る場合には、錠箱内に設けられた解錠状態保持機構の摺動部材用ストッパレバーは、トリガーに連動する連動部材を介して回転し、一方、入力手段が連続解錠モードの位置に在る場合には、入力手段に連動するモード変換レバーを介して前記連動部材が位置変位し、解錠状態保持機構は前記トリガーに連動しないことを特徴とする電気錠に於けるモード変換機構。
【発明の詳細な説明】
【技術分野】
【０００１】
本発明は、電気錠に於けるモード変換機構に関する。
【背景技術】
【０００２】
まず、特許文献１には、住宅用の気錠システムの一例が記載されている。その図３には、モード切換えスイッチ１６、１８等を制御器６に設ける事項が記載されている。すなわち、特許文献１には、「…室内の内壁面に設置される制御器６の操作パネル１１に、扉を開けっ放し状態に表示するドアランプ１５と、扉側の錠前を連続解錠状態と連続施錠状態に切換えるスイッチ１６、扉側の錠前を一時解錠状態にするスイッチ１８等に設ける事項…」が記載されている（符号は特許文献のもの）。
【０００３】
上記構成に於いて、連続施錠状態に切換えるスイッチ１６、一時解錠状態にするスイッチ１８等は、扉側ではなく、室内の内壁面の適宜箇所に設置される制御器６、具体的にはその前面の操作パネル１１に設けるので、扉に設置した電気錠から離れた場所（例えば室内の壁面）であっても、電気錠のモードを切換えることができるという利点がある。
【０００４】
しかしながら、特許文献１には、電気錠の錠箱内で、該電気錠の作動モードが、機械的にどのような構成部材でもって、施錠状態の作動モードから連続施錠状態の作動モードに、或いはその逆に切り換るかは全く記載されていない。
【０００５】
次に、特許文献２には、例えば電気錠を通電時施錠型に作動モードを換えたい場合、建物の用途変更に対応して当該電気錠の内外操作部材の態様も変えたいという場合等に於いて、一つの電気錠で作動モードと、内外の操作部材の態様を自由に切換えることが可能な電気錠の切換え装置が開示されている。具体的には、特許文献２の図９、図１０で示すように、錠箱からフロント板を取り外すだけで、電気錠の作動モード及び／又は内外の操作部材の態様を簡単に切換えることができる旨が記載されている。
【０００６】
また特許文献３にも、錠箱からフロント板を取り外し、取り付け板の開口に現れる切換レバーを手動で操作して電気錠の作動モードを、「通電時施錠型と通電時解錠型に切換える事項」が記載されている。
【０００７】
上記特許文献２及び特許文献３は、共に出願人が提案したものであるが、これらの特許文献には、電気錠の作動モードを「通電時施錠型と通電時解錠型に切換える事項」が記載されているだけであって、本発明の新規的事項は全く記載されていない。
【先行技術文献】
【特許文献】
【０００８】
【特許文献１】特開２００８−８８７４０号
【特許文献２】特許第４１２６１７６号公報
【特許文献３】特許第４３１６１２０号公報
【発明の概要】
【発明が解決しようとする課題】
【０００９】
本願発明の所期の目的は、各部材を簡単に組み合わせ、少なくとも電気的駆動源の駆動力により、入力手段を往復動させて自動施錠モードの位置と連続解錠モードの位置に選択的に停止させることができる新規な発想の電気錠に於けるモード変換機構を提案することである。第２の目的は、電気的に制御される部材の数を少なくすることである。第３の目的は、入力手段の自動施錠モードの位置と連続解錠モードの位置を確実かつ繰り返して得ることができることである。第４の目的は、入力手段の位置変位により、モードが切り換った信号を取得することができることである。第５の目的は、戸先側からの手動操作によっても、電気的制御と同様に電気錠のモードを変換することができることである。その他の目的は従属項によって特定され得る。
【課題を解決するための手段】
【００１０】
本発明の電気錠に於けるモード変換機構は、錠箱内にモード位置保持部材（４９）を介して自動施錠モードの位置と連続解錠モードの位置に選択的に停止させる入力手段（３１）を配設し、一方、前記錠箱内に電気的駆動源（１０）の駆動力で回転する回転体（１１ａ）と、該回転体に係脱すると共に前記入力手段に係合するモード変換用アーム部材（１２）を前記入力手段と回転体の間に介在させ、前記モード位置保持部材（４９）は、前記入力手段に往復動自在に配設され、前記自動施錠モードの位置と連続解錠モードの位置に切り換えることができる一連のガイド溝（５１）を有する摺動カム（５０）と、錠箱内の所定位置に配設されかつ付勢手段（５３）の付勢力により前記ガイド溝に係合する係合棒（５２）とから成ることを特徴とする。ここで「電気的駆動源」とは、駆動モータ、ソレノイド、それに類するものを言う。
【００１１】
上記構成に於いて、モード変換用アーム部材は、係合端部が回転体に設けたカム部に係脱する第１変換アームと、この第１変換アームと共働するように錠箱に軸支されかつ先端部が入力手段に係合する第２変換アームとを有する。また、錠箱内には、入力手段の位置変位により、モードが切り換った信号を取得する検知手段が配設されている。また、入力手段は錠箱のフロント板に形成した開口から押し込み操作によっても自動施錠モードの位置と連続解錠モードの位置に選択的に位置変位する。さらに、錠箱内にトリガーが設けられ、入力手段が自動施錠モードの位置に在る場合には、錠箱内に設けられた解錠状態保持機構の摺動部材用ストッパレバーは、トリガーに連動する連動部材を介して回転し、一方、入力手段が連続解錠モードの位置に在る場合には、入力手段に連動するモード変換レバーを介して前記連動部材が位置変位し、解錠状態保持機構は前記トリガーに連動しない。
【発明の効果】
【００１２】
（ａ）請求項１に記載の発明は、例えば図５で示すように、電気的駆動源と入力手段の間に、前記電気的駆動源の駆動力によって回転する回転体と、該回転体の回転によって作動するモード変換用アーム部材を合理的に組み合わせ（例えばモード変換用アーム部材の係合端と回転体に設けたカム部１１ｂとを係脱可能に係合させ）、少なくとも前記電気的駆動源の駆動力により、入力手段を往復動させて「自動施錠モードの位置」と「連続解錠モードの位置に、該入力手段を選択的に停止させることができる。そして、本発明の前記入力手段は「モード位置保持部材」を備え、該モード位置保持部材は自動施錠モードの位置と連続解錠モードの位置に切り換えることができる一連のガイド溝５１を有する摺動カム５０と、錠箱内の所定位置に配設されかつ付勢手段（５３）の付勢力により前記ガイド溝に係合する係合棒（５２）とから成るので、自動施錠モードの位置と連続解錠モードの位置を確実かつ繰り返して得ることができる。
（ｂ）請求項２に記載の発明は、モード変換用アーム部材は、例えば係合端部が回転体に設けたカム部に係脱する第１変換アームと、この第１変換アームと共働するように錠箱に軸支されかつ先端部が入力手段に係合する第２変換アームとから成るので、電気的に制御される部材の部品点数が少ない。したがって、組み合わせの容易化を図ることができる。
（ｃ）請求項３に記載の発明は、入力手段の位置変位により、モードが切り換った信号を取得することができる。付言すると、自動施錠モードか、それとも連続解錠モードか、のいずれかに切り換った確認信号を取得することができる。
（ｄ）請求項４に記載の発明は、戸先側からの手動操作によっても、電気的制御と同様に電気錠のモードを変換することができる。
（ｅ）請求項５に記載の発明は、扉にトリガーが設けられている実施例の場合であっても、電気錠は、その作動モードを、「自動施錠モード」か「連続解錠モード」かのいずれかに選択することができる。
【図面の簡単な説明】
【００１３】
図１乃至図２６は本発明の実施形態を示す各説明図。
【図１】本発明を適用した電気錠の概略説明図。
【図２】ブロックを用いた本発明の概念図。
【図３】入力手段３１とトリガー１３とが併設された状態の斜視図。
【図４】電気的駆動源乃至入力手段までの概略説明図。
【図５】要部を示す説明図。
【図６】入力手段の説明図。
【図７】モード変換用アーム部材の説明図。
【図８】回転体の説明図。
【図９】モード変換の説明図。
【図１０】要部の正面視からの概略断面説明図。
【図１１】入力手段３１と、この入力手段３１の案内部に組み込まれる摺動カム５０を示す斜視図。
【図１２】入力手段３１と復帰バネ３６の組み合わせを示す概略説明図。
【図１３】モード位置保持手段の説明図。
【図１４】摺動カム５０の斜視図。
【図１５】摺動カム５０とクリックピン５２のモード切換え停止位置の正面視からの概略断面説明図。
【図１６】摺動カム５０のガイド溝５１を展開状態で示した説明図。
【図１７】クリックピン５２の軌跡がＡ点から循環移動することを示す概略説明図。
【図１８】ストッパレバー１７がトリガー１３に連動する自動施錠モードの状態を示す説明図。
【図１９】自動施錠モードの状態における開扉時の説明図。
【図２０】自動施錠モードの状態における閉扉時の説明図。
【図２１】ストッパレバーがトリガーに連動しない連続解錠モードの状態を示す説明図。
【図２２】閉扉時、解錠状態保持機構１５はトリガーの影響を受けないことを示す説明図。
【図２３】要部の分解斜視図。
【図２４】（ａ）、（ｂ）は要部（連動部材の押圧片）の説明図。
【図２５】要部（連動部材の可動片）の説明図。
【図２６】要部（連動部材の可動片と押圧片の係わり）の説明図。
【発明を実施するための最良の形態】
【００１４】
（１）環境部材と特徴事項
図１は本発明を適用した電気錠の概略説明図である。図に於いて、Ｘは電気的にも機械的にもデッドボルト（以下、「デッド」という。）が出没可能な電気錠、１は戸枠、２は受け具、３は開閉体としての扉、４は錠箱、５はモード切換信号発生手段、６は制御部、７はコネクタを含む配線手段、８は電気錠制御用プリント基板、９はフロント板４ａに形成した開口、１０は電気的駆動源（例えば駆動モータ）、１１は回転体１１ａを含む動力伝達手段、１２はモード変換用アーム部材、１３はトリガー、１４はデッド、１５は解錠状態保持機構、１６は解錠状態保持機構の一方を構成する摺動部材、１７は解錠状態保持機構の他方を構成する摺動部材用ストッパレバー、１８は摺動部材用ストッパレバーを係止方向へ付勢するバネ部材、１９は摺動部材用ストッパレバーの固定軸、２０は摺動部材の下端部に設けられたラック、２１はダルマ、２３はダルマを施錠方向へと回す動力源（付勢手段）、２４は駆動リンク、２５は作動アーム、２６はデッド用ストッパ、２７はデッド用ストッパを案内する案内切欠部である。
【００１５】
上記構成に於いて、電気錠Ｘは、錠箱４内にデッド１４を後退させた状態を保持する解錠状態保持機構１５の他に、動力源２３としての付勢手段と、この付勢手段２３の動力で施錠方向へ回転する前記ダルマ２１と、該ダルマを介して機械的に出没する前記デッド１４とを備えている。本発明のモード変換機構Ｙは、このような電気錠Ｘに適用されている。
【００１６】
また、モード変換用アーム部材１２は、図５で示すように係合端部が回転体１１ａに設けたカム部１１ｂに係脱する第１変換アーム１２ａと、この第１変換アームと共働するように錠箱４に軸支されかつ先端部が入力手段３１に係合する第２変換アーム１２ｂとを有する。さらに、図１３乃至図１７で示すように、モード位置保持部材４９は、入力手段３１の案内部３８に往復動可能に設けられかつ一側面に自動施錠モードの位置用係止段部５１ａと連続解錠の位置用係止段部５１ｂをそれぞれ有する一連のガイド溝５１が形成された摺動カム５０と、錠箱４内の所定箇所に位置付けられていると共に、その係合端部が前記ガイド溝５１に係合するようにクリックバネ５３で常に付勢されたクリックピン５２とから成る。
【００１７】
図１に於いて、モード切換信号発生手段５は、例えば室内の適宜箇所に配設された住宅用電気錠操作盤の操作パネルに設けられ、該操作パネルは図示しない連続解錠用ボタン、自動施錠用ボタン、一回解錠用ボタン等の複数固の操作ボタンを有している。モード切換信号発生手段５からの連続解錠信号、自動施錠信号等の各入力信号は、遠隔操作により回線を介して制御部６へと送信される。制御部６はモード切換信号発生手段５からモード切換信号を取得すると、電気的駆動源１０の起動と停止を制御する。電気的駆動源１０が駆動すると、動力伝達手段１１の回転体１１ａは所定方向に回転する。そうすると、モード変換用アーム部材１２が作動し、その結果、入力手段３１は錠箱４のフロント板４ａを基準にして前後方向へと往復動し、「自動施錠モードの位置」か、それとも「連続解錠モードの位置」か、そのいずれかに切り換る。モードの位置が切り換ると、制御部６は錠箱４内に配設された信号の検出手段３３を介してモードが切り換ったか否かを確認することができる。また、モード状態検出手段を前記入力手段３１に対して複数固配設すると、前記確認信号の他に、自動施錠モード状態、連続解錠モード状態、一回解錠モード状態等を検出することができる。
【００１８】
しかして、本実施例の電気錠Ｘに於いては、例えば図１、図３、図２０で示すように、さらにフロント板４ａの開口９に臨むように入力手段３１と共にトリガー１３が併設されているので、入力手段３１が「自動施錠モードの位置」に在る場合には、トリガー１３に連動する後述の連動部材を介して解錠状態保持機構の他方を構成する摺動部材用ストッパレバー１７が連動し、その結果、摺動部材用ストッパレバー１７は解錠状態保持機構の一方を構成する摺動部材１６の係止を解く。
【００１９】
これに対して、図２１で示すように、入力手段３１が「連続解錠モード状態」に在る場合には、前記連動部材がトリガー１３に連動しても、前記摺動部材用ストッパレバー１７はトリガー１３や連動部材の影響を受けず、そのまま前記摺動部材１６を係止し続ける。
【００２０】
したがって、本発明のモード変換機構Ｙは、例えば図４、図５、図１３に示すように、錠箱４内にモード位置保持部材４９を備えた入力手段３１を往復動自在に配設し、一方、錠箱４内に電気的駆動源１０の駆動力で回転すると回転体１１ａを配設し、この回転体に係脱すると共に前記入力手段３１に係合するモード変換用アーム部材１２を前記入力手段３１と回転体１１ａの間に介在させた点に特徴がある。付言すると、実施形態では、前記電気的駆動源の駆動力によって回転する回転体１１ａと、該回転体の回転によって作動するモード変換用アーム部材１２を合理的に組み合わせ（例えばモード変換用アーム部材の係合端と回転体に設けたカム部１１ｂとを係脱可能に係合させ）、少なくとも前記電気的駆動源１０の駆動力により、入力手段３１を往復動させて「自動施錠モードの位置」と「連続解錠モードの位置に選択的に停止させることができる。より具体的には、本発明の前記入力手段３１は、その構成要素の中に図１３で示すような「モード位置保持部材４９」を備え、該モード位置保持部材４９は、自動施錠モードの位置と連続解錠モードの位置に切り換えることができる一連のガイド溝５１を有する摺動カム５０と、錠箱内の所定位置に配設され、付勢手段としてのクリックバネ５３でバネ力により前記ガイド溝に係合する係合棒としてのクリックピン５２とから構成されているので、前記入力手段３１は自動施錠モードの位置と連続解錠モードの位置を確実かつ繰り返して得ることができる。
【００２１】
詳しくは、本発明の実施例にあっては、（ａ）入力手段３１は電気的駆動源１０の駆動力により、動力伝達手段１１の回転体１１ａが所定方向に所要量回転すると単数又は複数本のモード変換用アーム部材１２を介して、又は、入力手段３１はフロント板４ａの開口９を介して指で押し込まれると、所定の位置へと選択的に位置変位し、例えば前記入力手段３１が連続解錠モードの位置にある場合には、解錠状態保持機構１５は、前記入力手段３１に連動する連動部材６１を介してトリガー１３に連動しないようにし、（ｂ）一方、前記入力手段３１が自動施錠モードの位置にある場合には、解錠状態保持機構１５は、前記入力手段に連動する連動部材６１を介してトリガー１３に連動し、デッド１４を錠箱内に後退させた状態を解消し、該デッド１４は動力源２３のバネ力で施錠方向へと自動的に突出する。
【００２２】
付言すると、入力手段３１が自動施錠モードの位置にある場合には、例えば扉３を閉じると、トリガー１３が作動（後退）して、解錠状態保持機構１５のストッパレバー１７がデッド１４の保持状態を解く方向へと回転し、その後、ダルマ２１は付勢手段２３の付勢力により自動的に施錠方向へと回動して、デッド１４が受け具２に係入する（自動施錠）。この場合、摺動部材用のストッパレバー１７の第２係合腕１７ｂが、傾斜方向にスライド可能な摺動部材１６の被係合部１６ａから外れる。これに対して、入力手段が「自動施錠モード」から「連続解錠モード」へと切換わり、連続解錠モードの位置にある場合には、摺動部材用のストッパレバー１７の第２係合腕１７ｂは、第１は摺動部材１６の被係合部１６ａを係止している。したがって、摺動部材１６、該摺動部材のラック２０に噛合するダルマ２１及びデッド１４は、それぞれ解錠の位置にあり、前記係合腕１７ａが前記被係合部１６ａから外れない限り、デッド１４が錠箱４内に引っ込んだ状態が続く。
【００２３】
（２）電気錠の概念図
そこで、図２を参照にして本発明の電気錠の概念を説明する。
図に於いて、１０は電気的駆動源の一例としての駆動モータ、１１は電気的駆動源の駆動力で回転する回転体１１ａを備えた動力伝達手段、１２は前記回転体１１ａの伝動力によって作動するモード変換用アーム部材、３１は電気的駆動源１０の駆動力又は手動操作で位置変位するモード切換え用の入力手段で、該入力手段３１はモード位置保持部材４９を備えている。
【００２４】
前記モード位置保持部材４９は、例えばクリック手段を構成するクリックピン５２と、該クリックピンの先端部と係合する摺動カム５０とから成り、前記クリックピン５２は錠箱の内壁面の所定位置に設けられている。
【００２５】
３２はトリガー１３に連動する連動部材で、この連動部材３２は、前述したように入力手段３１が「自動施錠モードの位置」に在る場合には、トリガー１３に連動して解錠状態保持機構の他方を構成する摺動部材用ストッパレバー１７を係止解除の方向へと回転させる。
【００２６】
一方、前記入力手段３１が「連続解錠モードの位置」に在る場合には、トリガー１３に連動するものの、解錠状態保持機構１５には影響を与えない。３３は入力手段３１に対して配設されたモード切換え確認用検出手段で、この検出手段３３は、例えば光センサーを用いている。そのために、本実施例では、検出手段３３用の遮蔽部３９を入力手段３１の適宜箇所に設けている（図３参照）。
【００２７】
６は制御部で、該制御部６には前述したモード切換信号発生手段５からの信号、扉の開閉状態を検出する他の検出器２８からの信号、テンキー等の解除信号発生手段２９からの信号が入って来る。制御部６は出力手段としての表示手段３０、電気的駆動源１０等を制御する。
【００２８】
入力手段３１は、図１や図３で示すように、長板状の摺動体であり、錠箱４のフロント板４ａに形成した開口９に、その先端部が位置し、ある或いは臨むようにトリガー１３と共に併設されている。また連動部材３２は、モード切換え用入力手段３１に連動して位置変位、例えば時計方向又は反時計方向に回転）する。
【００２９】
ところで、電気錠Ｘの施・解錠状態に関する「状態信号」は、例えば連続解錠状態、連続施錠状態、一時施錠、一時解錠の「４つ」が存在するので、モード切換え用入力手段３１は、理論上、そのいずれか一つに切換えるように構成することもできる。しかしながら、本実施例では、少なくとも電気的に「自動施錠モードの位置」又は「連続解錠モードの位置」のいずれか一つに切換えることができれば良い。もちろん、前記２つの態様に「連続施錠状態」を加味しても良い。制御部６は、例えば商用交流電圧を直流に変換する電源回路や電池を含む電源と接続し、各種の信号を処理する。検知器２８は閉扉信号や開扉信号を取得するものである。解除信号発生手段２９は、テンキー、リモコンキー、カード読取り器などであり、接触又は非接触方式で電気錠Ｘを室外から解錠することができる。表示手段３０はランプの点灯または消灯に基づいて、自動施錠状態、連続解錠状態、連続施錠状態、一時解錠状態、扉の開けっ放し状態等を視覚により識別するためのものである。
【００３０】
（３）具体的構成−入力手段３１、モード位置保持部材４９等
図３は、入力手段３１とトリガー１３とが併設された状態の斜視図である（トリガー１３の一部と、その連動部材は省略）。手前がケース状先端部を有するトリガー１３で、この裏側にやや長板状のモード切換え用入力手段３１が位置している。
【００３１】
トリガー１３と入力手段３１は別個の部材であり、トリガー１３はケース状先端部に図示しない磁性体を有し、閉扉時、例えば戸枠側の磁性体の極性に対応して錠箱内へ若干後退動することができる。また、入力手段３１とトリガー１３は別個の部材であるから、手動操作により入力手段３１のみを単独で押し込むことができる。
【００３２】
図４乃至図１４は、本発明の主要部を示している。本発明のモード変換機構Ｙは、錠箱４内に自動施錠モードの位置と連続解錠モードの位置に選択的に停止させるモード位置保持部材４９を備えた入力手段３１を往復動自在に配設し、一方、錠箱４内に電気的駆動源１０の駆動力で回転すると回転体１１ａを配設し、この回転体１１ａに係脱すると共に前記入力手段３１に係合するモード変換用アーム部材１２を前記入力手段３１と回転体１１ａの間に介在させている。
【００３３】
しかして、前記モード変換用アーム部材１２は、遊端部に相当する係合端部が回転体１１ａに設けたカム部１１ｂに係脱する第１変換アーム１２ａと、この第１変換アームと共働するように錠箱４に軸支されかつ先端部が入力手段３１に係合する第２変換アーム１２ｂとを有する。ここで、図６乃至図８を参照にして、要部を簡単に説明する、まず、図６は入力手段３１の斜視図で、錠箱内の所定位置には、突片状の遮蔽部３９に対向するように光センサー型、磁気感応型等の信号の検出手段３３が配設されている。
【００３４】
次に、図７はモード変換用アーム部材１２と、アーム部材用バネ部材２２と、錠箱側の支軸３４をそれぞれ示している。モード変換用アーム部材１２の第１変換アーム１２ａは、縦方向に位置し、その下端部に相当する係合端部は、図９で示すように回転体１１ａのカム部１１ｂに係脱する。一方、上端部に相当する枢支端部は、ブーメラン形状の第２変換アーム１２ｂの枢支端部に小突起軸、係合小孔を介して接続している。第２変換アーム１２ｂの略中央部は支軸３４に軸支され、先端部に相当する鉤状係合部は、入力手段３１の後端部に形成された凹所状の被係合部に係合可能である。アーム部材用バネ部材２２は、開きバネが採用され、その一端部は第１変換アーム１２ａの枢支端部の小孔に適宜に差し込まれ、その他端部は錠箱側のバネ端受け突起に支持されている。その他の細部的事項の説明は割愛する。
【００３５】
次に、図８は回転体１１ａで、この回転体１１ａの一側面の周端部には、弧状のカム部１１ｂが突設されている。
【００３６】
上記構成に於いて、電気的駆動源１０が駆動すると、回転体１１ａが回転することから、カム部１１ｂが位置変位し、その上端面が第１変換アーム１２ａの係合端部（遊端部）に当って該第１変換アーム１２ａを上方の方へと押し上げる。この時、第１変換アーム１２ａはアーム部材用バネ部材２２のバネ力に抗して若干上方の方へと押し上がるが、これに連動して第２変換アーム１２ｂが支軸３４を介して若干回転する。そうすると、入力手段３１は第２変換アーム１２ｂで所要量引っ張られる。この時、入力手段３１は、その復帰バネ３６のバネ力に抗して位置変位する。
【００３７】
図１４で示すように、入力手段３１は、本実施例では、電気的駆動源１０の駆動力により、回転体１１ａを介して、例えば自動施錠モードの位置と連続解錠モードの位置に選択的に位置変位し、かつ、入力手段３１の案内部３８に組み込んだ摺動カム５０と、該摺動カム５０のガイド溝５１に常に係合する錠箱側の係合棒５２とで構成されたモード位置保持手段４９を介して自動施錠モードの位置と連続解錠モードの位置にそれぞれ選択的に停止する。
【００３８】
そこで、図２１乃至図２２を参照にして本発明の要部について説明をする。まず、図１５を参照にすると、入力手段３１は、その先端部３１ａがフロント板４ａの開口９を臨むように或いは開口９に位置するように配設されている。入力手段３１の右上方には、錠箱４側の固定ピン３５に復帰バネ３６が設けられ、該復帰バネ３６は入力手段３１をフロント板４ａの開口９側に常に付勢している。したがって、入力手段３１の先端部を、開口９を介して指で押し込むと、該入力手段３１は復帰バネ３６のバネ力に抗して所定位置まで後退し、モード位置保持部材４９により一時停止する。この点は、電気的駆動源１０の駆動力により、入力手段３１が復帰バネ３６のバネ力に抗して所定位置まで後退した場合も同様である。
【００３９】
次に、図６は入力手段３１と、モード位置保持部材４９の一方を構成する摺動カム５０とを示す斜視図である。摺動カム５０はこの入力手段３１の案内部に組み込まれ、紙面上、上下方向に自在に移動可能である。図１２は入力手段３１と復帰バネ３６の組み合わせを示す概略説明図である。この図に於いて、３１ａは入力手段３１の先端部で、該先端部にはやや小片状の押圧部３７が設けられている。この押圧部３７を図示しない指で押し込むと、入力手段３１は復帰バネ３６のバネ力に抗して位置変位する。なお、入力手段３１を押し込む際に、前記押圧部３７がトリガー１３の先端部に当たらないように、例えばトリガー１３の対向側壁には図示しない切欠凹所が形成されている（図３参照）。
【００４０】
３８は中央部（先端部寄りの部位も含む）に形成された開口又は凹所状の案内部で、本実施例では、該案内部３８は矩形状の開口である。この開口部３８の左右対向内面に上下方向に一対のガイドレール３８ａ、３８ａが形成されている。矩形板状の摺動カム５０は、前記案内部３８に上下方向に移動可能に組み込まれる。３９は、入力手段３１の上辺の中央部に突設された突片部分で、この突片部分３９は、前述したように、光センサー型検出手段、磁気感応型検出手段等の検出手段３３用の遮蔽部（或いは磁気部）と成っている。
【００４１】
４０は突片部分３９よりも後方側に設けられたピン状の係合部で、本実施例では入力手段３１の上端部の適宜箇所から水平状態に突出している。４１は入力手段３１の裏面に突設されたバネ受けである。図６で示すように、復帰バネ３６は開きバネが使用され、その中央部は固定ピン３５に巻装され、一端部３６ａは前記バネ受け４１に支持されていると共に、その他端部３６ｂは錠箱側に設けられた突起４２に支持されている。したがって、入力手段３１は復帰バネ３６のバネ力が開口９側に作用するように錠箱４内に水平方向へスライド可能に設けられ、位置変位するとモード位置保持部材４９を介して停止する。
【００４２】
次に、図１３等を参照にして、モード位置保持部材４９を説明する。図１３はモード位置保持部材４９の分解斜視図である。この図から明らかなように、モード位置保持部材４９は、入力手段３１の案内部３８に摺動自在に組み込まれる矩形状の摺動カム５０と、この摺動カム５０の一側面に形成された一連のガイド溝５１にその係合端部５２ａが係合するクリックピン５２と、このクリックピンを常に係合方向へと付勢するクリックバネ５３とから成り、前記クリックピン５２の他端部５２ｂは、クリックバネ５３に付勢された状態で錠箱４側の固定案内部或いは固定案内部材５４に嵌合している。
【００４３】
したがって、モード位置保持部材４９の一方を構成する入力手段３１側の摺動カム５０は、入力手段３１と共に矢印で示す方向へ位置変位可能であるのに対して、モード位置保持部材４９の他方を構成するクリックピン５２及びクリックバネ５３は錠箱４側の固定案内部５４に摺動カム５０と一緒に移動しないように位置付けられ、摺動カム５０のガイド溝５１に形成した複数個のモード切換え用段差部にそれぞれ係止状態に係合可能である。
【００４４】
図１４は摺動カム５０の斜視図である。また、図１５は摺動カム５０の正面視かの概略断面説明図である。さらに、図１６は摺動カム５０のガイド溝５１を展開状態で示し、かつ固定案内部５４側のクリックピン５２及びクリックバネ５３も共に示したものである。
【００４５】
図１４で示すように、摺動カム５０は、その幅広の正面部５０ａに「挟み形状」或いは「ハート形状」のイメージを彷彿される幾何学形状のガイド溝５１が形成されている。また、摺動カム５０は前記幅広の正面部５０ａに連設する幅狭の背面部５０ｂを有し、該幅狭の背面部５０ｂと幅広の正面部５０ａの左右のＬ形状の段差部分が入力手段３１の案内部３８のガイドレール３８ａ、３８ａに案内される。したがって、本実施例では、入力手段３１が水平方向に移動すると、摺動カム５０は、前記案内部３８に案内されて入力手段３１に直交する垂直方向へと移動可能である。
【００４６】
図１５は、ガイド溝５１を判り易く示した概略断面説明図である。この図に於いて、溝の浅い所、深い所、傾斜面、ストッパ面等を容易に理解することはできないが、それらは図１６を参照にして理解することができる。
【００４７】
ここで図１５を参照にして、クリックピン５２の位置を説明する。なお、図面上、クリックピン５２が一連のガイド溝５１内を一方向へと循環移動するように見えるが、これは説明の便宜上のもので、クリックピン５２は所定位置にあり、実際は、摺動カム５０の方が入力手段３１と共働して上下左右に位置変位する。
【００４８】
さて、一連のガイド溝５１には、少なくとも「１つのモード用係止段部５１ａ」と「他のモード用係止段部５１ｂ」が存在する。本実施例では、「１つのモード用係止段部」は自動施錠モード用係止段部５１ａであり、一方、「他のモード用係止段部」は連続解除モード用係止段部５１ｂである。前述したように入力手段３１には復帰バネ３６のバネ力が常に紙面上矢印で示す左方向に作用していることから、例えば仮に一連のガイド溝５１の先端部に相当する山形状或いは弧状の第１係止面（ストッパ面）５５を有する段差部分を自動施錠モード用係止段部５１ａであるとすれば、断面で示したクリックピン５２は前記第１係止面５５に係止状態で係合する。
【００４９】
これに対して、一連のガイド溝５１の中央部に相当する山形状或いは弧状の第２係止面（ストッパ面）５６を有する段差部分を連続解除モード用係止段部５１ｂであるとすれば、入力手段３１と共働して所定方向へと位置変位した摺動カム５０は、前記第２係止面５６に係止状態で係合する。このように一連のガイド溝５１を介して摺動カム５０が移動すると、クリックピン５２の係合端部５２ａと、これに係止されるガイド溝５１の複数個のモード用係止段部５１ａ、５１ｂとが入れ替わる。
【００５０】
図１６の展開状態ガイド溝５１の詳細な説明については割愛する。この展開図に於いて、右側の平な面と、左側の平な面は同一である。つまり、左右の平らな面は自動施錠モード用係止段部５１ａである。これに対して、展開図の中央部の平らな面が、次にクリックピン５２が係止状態で停止する連続解除モード用係止段部５１ｂである。摺動カム５０や矢印で示す紙面上右側に移動すると、実践で示したクリックピン５２は、自動施錠モード用係止段部５１ａの位置からから連続解除モード用係止段部５１ｂの位置へと入れ替わる。そして、また、入力手段を操作すると、クリックピン５２は連続解除モード用係止段部５１ｂの位置から自動施錠モード用係止段部５１ａの位置へと入れ替わる。
【００５１】
図１７は、摺動カム５０の方が入力手段３１と共働して上下左右に移動した際、クリックピン５２が、自動施錠モード用係止段部５１ａから連続解除モード用係止段部５１ｂへ、該連続解除モード用係止段部５１ｂから自動施錠モード用係止段部５１ａへと切換る旨の概略説明図である。この図１７では、クリックピン５２の軌跡が、Ａ点からＢ点、Ｂ点からＣ点、Ｃ点からＤ点から、Ｄ点からＡ点へと循環移動することを示している。なお、二股状の上溝ポイントＢ点及び下溝ポイントＤ点は、モード位置がＡ点からＣ点、Ｃ点からＡ点へ切換わる際の折り返し点である。
【００５２】
なお、モード位置が変換した場合、その確認信号と共に、錠箱４内に配設された図示しない複数固の検出手段により各モードの状態が検出され、これらの検出信号は、制御部６の記億部に記録される。
【００５３】
（４）具体的構成−解錠状態保持機構１５、モード変換レバー３２、連動部材６１
次に、図１８乃至図１９を参照にして、解錠状態保持機構１５、モード変換レバー３２、連動部材６１等を説明する。
【００５４】
本発明は、錠箱４内にデッド１４を後退させた状態を保持する解錠状態保持機構１５と、動力源としての付勢手段２３と、この付勢手段の動力で施錠方向へ回転するダルマ２１と、該ダルマを介して機械的に出没するデッド１４とを備えることを特徴とする。また、前記構成に於いて、錠箱４内にトリガー１３が設けられ、入力手段３１が施錠モードの位置に在る場合には、前記解錠状態保持機構１５はトリガー１３に連動する連動部材６１を介して回転し、一方、入力手段３１が連続解錠モードの位置に在る場合には、入力手段３１に連動するモード変換レバー３２を介して前記連動部材６１が位置変位し、前記解錠状態保持機構１５は前記トリガー１３に連動しないことを特徴とする。
【００５５】
例えば図１８で示すように、解錠状態保持機構１５は、なくともデッド１４の没入状態を保持する摺動部材１６と、該摺動部材用のストッパレバー１７から成る。閉扉時、図１８で示すように、トリガー１３が矢印Ａの方向へ後退動し、前記ストッパレバー１７が該トリガー１３に連動して矢印Ｂ方向回転すると、その第２係合腕１７ｂが摺動部材１６の被係合部１６ａから離れ、その結果、デッド１４は付勢手段２３の付勢力により錠箱４から完全に突出した施錠状態と成る。
【００５６】
そこで、電気的駆動源１０の駆動力又は操作部材（合鍵やサムターン）の操作力に基づいてダルマ２１が付勢手段２３の付勢力に抗して錠箱４内に没入した場合、摺動部材１６は、そのラック（或いはラック板）２０がダルマ２１に噛み合いながら施錠位置から解錠位置へと傾斜方向へ位置変位し、かつ位置変位した該摺動部材１６はストッパレバー１７の第２係合腕１７ｂに係止される。
【００５７】
本実施例の解錠状態保持機構１５は、図２１で示すように、デッド１４が錠箱４内に没入した時、該デッド１４が錠箱４から飛び出ないように保持する摺動部材１６及び該摺動部材用ストッパレバー１７で構成されているので、ストッパレバー１７の先端部の第２係合腕１７ｂが摺動部材１６の被係合部１６ａから離れない限り、「連続解錠モードの状態」を維持し続ける。
【００５８】
したがって、解錠時、電気的駆動源１０の駆動力、閉扉時におけるトリガー１３の後退動のいずれか基づいて、前記解錠状態保持機構１５の保持状態が解かれると、以後、ダルマ２１は動力源（付勢手段）２３の駆動力（付勢力）により自動的に施錠方向へと回動して、デッド１４が錠箱４から自動的に完全に突出することになるから、「連続解錠モードの状態」にするためには、前述したように入力手段３１を連続解錠モードの位置にする必要がある。
【００５９】
そこで、入力手段３１が電気的駆動源１０の駆動力によって後退動し、又は手動操作によって押し込まれて「連続解錠モードの位置にある場合」には、解錠状態保持機構１５は、前記入力手段３１に連動する連動部材を介してトリガーに連動しないようにし、一方、前記入力手段３１が自動施錠モードの位置にある場合には、前記解錠状態保持機構１５は、前記入力手段３１に連動する連動部材を介してトリガーに連動してデッド１４を錠箱４内に後退させた状態を解消し、該デッド１４は動力源２３の駆動力で施錠方向へと突出するようにする必要がある。
【００６０】
ところで、本実施例では、縦長錠箱４の内部空間を有効的に活用するために、摺動部材１６は錠箱４の前壁内面と錠箱後壁の各内面の間を、傾斜案内部を介して傾方向に往復運動をする。また、動力源（付勢手段）２３は、安定した状態で作用するように、捩じりコイルバネ２３ａと、該捩じりコイルバネの螺旋状中央部を横柱で支持する可動のバネガイド２３ｂとから成る。
【００６１】
さらに、ダルマ２１には、駆動リンク１４のみならず、作動アーム２５の上端部が枢支され、一方、該作動アームの下端部には、錠箱側に設けられた案内切欠部２７に直接又は間接的な案内される横杆状のデッド用ストッパ２６を取付け、該デッド用ストッパは、前記デッド１４が付勢手段２３の付勢力によって完全に突出した施錠時には、前記案内切欠部２７に案内されてデッド１４の後端面をロックする。
【００６２】
次に、図２２を参照にして、入力手段３１に連動するモード変換レバー３２と、トリガー１３に連動可能な連動部材６１について説明する。まず、トリガー１３に連動可能な連動部材６１は、閉扉時にトリガー１３が後退しても、「該トリガー１３からの力が解錠状態保持機構１５の摺動部材用ストッパレバー１７に伝わらないようにすること」、という観点から入力手段３１に連動するように組み合わせられている。
【００６３】
そこで、連動部材６１は、トリガー１３と摺動部材用ストッパレバー１７との間に介在する「間接部材」に相当するもので、例えばニ物品の共働片と、該共働片を初期位置へ戻す復帰手段とから構成されている。「自動施錠モードの場合」には、トリガー１３が後退動した時に、ストッパレバー１７はトリガーと共働する連動部材（ここでは「間接部材」とも言う。）６１を介して回転する。間接部材６１は、トリガー１３の後端部とストッパレバー１７の第１係合腕１７ａの間に互いに共働或いは連係することができるように介在している。
【００６４】
しかして、間接部材６１は、例えば右手の三本の指をそれぞれ所定角度広げた格好の押圧片６６と、この押圧片６６に係合すると共にストッパレバー１７の第１係合腕１７ａと係合する可動片６７とから成る。もちろん、設計如何によっては、間接部材６１を複数片の組み合わせではなく、「一つの部材」にすることができる。しかしながら、望ましくは、ストッパレバー１７を確実に回転させるため、或いは戸枠の縦枠と開閉体３の縦框３ａとの間のクリアランス等を考慮して、前記押圧片６６は、例えばトリガー１３が第１バネ部材６８のバネ部材のバネ力に抗して後退する際に、若干後退動しながら該トリガー１３の後端部の係合部１３ｄから離れる後退・回転型に構成し、また、前記可動片６７は、前記押圧片６６の後方アームに押圧されながら後方へと位置変位する後退型に構成する。
【００６５】
ところで、押圧片６６は、中央部分６６ａから先端部へと延在しかつトリガー１３の係合部１３ｄに係脱する前方アーム６６ｂと、前記中央部分６６ａから後方へと略水平状態に延在すると共に、錠箱４の一側壁の内壁面にガイド６９を介して案内されるように後方へと略水平状態に延在する後方アーム６６ｃと、前記中央部分６６ａから上方に延在しかつ錠箱内に適宜に配設された第２バネ部材７１のバネ力に抗して回転変位する上方アーム６６ｄをそれぞれ有している。
【００６６】
一方、モード変換レバー３２は、その形態は特に問わないが、例えば先端部に錠箱側の横軸４４に外嵌合する筒状嵌合部４５を有すると共に、該筒状嵌合部４５に腕状の引き上げ用脚部４７が連設している。付言すると、押圧片６６を引き上げることが可能なモード変換レバー３２は、その先端部に筒状嵌合部４５と、該筒状嵌合部からＬ字形状に連設する係合脚部４７とを有し、前記係合脚部４７の一側壁には、入力手段３１に設けたピン状の係合部４０が係合する段差溝状の被係合部分４６が形成されている。そして、前記係合脚部４７は押圧片６６の中央部の係合部分に係合している。
【００６７】
さて、図１８は自動動施錠モードの状態を示す。また、図１９は自動施錠モードの状態における開扉時の状態である。開扉時、トリガー１３は、バネ部材のバネ力で復帰するが、フロント板４ａの開口に設けられた図示しない金属片或いは磁性体に吸引されて復帰する。
【００６８】
自動施錠モードでは、入力手段３１はフロント板側に位置しているので、押圧片６６は引き上げ用モード変換レバー３２によって上方に引き上げられていない。したがって、図２０で示すように、閉扉時、トリガー１３に押され押圧片６６がやや回転しながら後退動すると（錠箱側の傾斜状ガイド部分は省略）、前述したように、ストッパレバー１７は、間接部材６１を介してトリガー１３の影響を受け、摺動部材１６に対してストッパを解く方向へと回転する。それ故に、デッド１４は動力源２３のバネ力により錠箱から突出する。
【００６９】
これに対して、図２１は連続解錠モードの状態を示す説明図である。この場合、入力手段３１は電気的駆動源１０の駆動力又は指で押し込まれ、フロント板側から多少離れている。入力手段３１を押し込むと、図２２の（ａ）から同図の（ｂ）で示すように、モード変換レバー３２が回転し、これによりその引き上げ用係合部分４７は、上方方向へと位置変位する。したがって、連動部材６１の押圧片６６は後方アーム６６ｃの端部を支点にして、かつその中央部の係合部分を介して上方へと持ち上げられ、連続解錠モードの状態となる。この図２２は開扉時から閉扉時になる時、解錠状態保持機構１５が後退動するトリガーの影響を受けないことを示す（連続解除モード）。
【００７０】
図２３乃至図２６は、トリガー１３、連動部材６１等の各説明図である。なお、本実施例のトリガー１３は、その形態如何を問わず、先端部にマグネットを有するが、戸枠１側に小突起を設けた場合には、閉戸時、トリガーの先端部は、前記小突起に押されて後退するので、前記マグネットは本質的要件ではない。しかしながら、望ましくは「マグネットトリガー」を採用している。また、詳細な説明を割愛するが、本実施例では、電気的駆動源の駆動力で回転可能な伝動歯車が存在し、該伝動歯車の一側面の縁部に摺動部材用ストッパレバーの係止状態を解くための突起が設けられている。
【産業上の利用可能性】
【００７１】
錠前や建具の分野で利用される。
【符号の説明】
【００７２】
Ｘ…電気錠、Ｙ…モード変換機構、４…錠箱、４ａ…フロント板、９…開口、１０…電気的駆動源、１１ａ…回転体、１１ｂ…カム部、１２…モード変換用アーム部材、１２ａ…第１変換アーム、１２ｂ…第２変換アーム、１３…トリガー、１４…デッドボルト（デッド）、１５…解錠状態保持機構、１７…摺動部材用ストッパレバー、２１…ダルマ、２３…動力源、３１…入力手段、３２…モード変換レバー、３３…検知手段、４９…モード位置保持部材、５１…一連のガイド溝、５１ａ…自動施錠モードの位置用係止段部、５１ｂ…連続解錠の位置用係止段部、５２…クリックピン、５３…クリックバネ、６１…連動部材。
【図１】
0005616118.tif 000002
【図２】
0005616118.tif 000003
【図３】
0005616118.tif 000004
【図４】
0005616118.tif 000005
【図５】
0005616118.tif 000006
【図６】
0005616118.tif 000007
【図７】
0005616118.tif 000008
【図８】
0005616118.tif 000009
【図９】
0005616118.tif 000010
【図１０】
0005616118.tif 000011
【図１１】
0005616118.tif 000012
【図１２】
0005616118.tif 000013
【図１３】
0005616118.tif 000014
【図１４】
0005616118.tif 000015
【図１５】
0005616118.tif 000016
【図１６】
0005616118.tif 000017
【図１７】
0005616118.tif 000018
【図１８】
0005616118.tif 000019
【図１９】
0005616118.tif 000020
【図２０】
0005616118.tif 000021
【図２１】
0005616118.tif 000022
【図２２】
0005616118.tif 000023
【図２３】
0005616118.tif 000024
【図２４】
0005616118.tif 000025
【図２５】
0005616118.tif 000026
【図２６】
0005616118.tif 000027